(57)【要約】  収穫量分配装置（１００）は、農作物に応じた圃場の情報を記憶する記憶部（１１０）を参照して、ある農作物に対応する１又は複数の圃場の情報を選択可能にディスプレイ（１２０）に提示する。収穫量分配装置（１００）は、ある農作物についての収穫量の入力を受け付ける。入力される収穫量は、１又は複数の圃場で収穫されたある農作物の合計収穫量である。収穫量分配装置（１００）は、入力された収穫量を選択された１又は複数の圃場に分配し、分配された各収穫量を対応する圃場における収穫量として記憶する。
2015136668.tif 000002
【特許請求の範囲】
【請求項１】
コンピュータが、
ある農作物についての収穫量の入力を受け付け、
農作物に応じた圃場の情報を記憶する記憶部を参照して、前記ある農作物に対応する１又は複数の圃場の情報を選択可能に提示し、
入力された前記収穫量を選択された１又は複数の圃場に分配し、分配された各収穫量を対応する圃場における収穫量として記憶する、
処理を実行することを特徴とする収穫量分配方法。
【請求項２】
前記コンピュータが、
選択された前記１又は複数の圃場の作付面積に応じて、前記１又は複数の圃場に対する前記収穫量の分配量を制御する、ことを特徴とする請求項１に記載の収穫量分配方法。
【請求項３】
前記コンピュータが、
選択された前記１又は複数の圃場の作付面積に比例して、前記１又は複数の圃場に対する前記収穫量の分配量を制御する、ことを特徴とする請求項１に記載の収穫量分配方法。
【請求項４】
前記コンピュータが、
前記ある農作物の品目および選択された前記１又は複数の圃場のいずれかの圃場が、生産計画と対応付けて記憶されている農作物の品目および圃場と同一の場合には、前記いずれかの圃場に分配された収穫量を表示する第１の画面を出力する際に、
前記品目に対する収穫量の入力を受け付ける欄とともに表示する収穫量の単位の種別として、前記生産計画の入力を受け付ける第２の画面において入力された収穫量の単位の種別と同一の単位の種別を出力する、ことを特徴とする請求項１に記載の収穫量分配方法。
【請求項５】
前記コンピュータが、
出力した前記単位の種別が重量の単位でない場合に、前記欄に入力された収穫量を、前記ある農作物の作型、もしくは前記第１の画面で入力を受け付けた収穫日、もしくは前記ある農作物と対応付けて記憶されている収穫予定時期のいずれかに応じて特定した換算比率で、重量の単位に換算する処理をさらに実行することを特徴とする請求項４に記載の収穫量分配方法。
【請求項６】
コンピュータが、
生産対象の農作物の予定収穫量を含む生産計画を受け付け、
前記農作物の収穫に応じて行われる、前記農作物の収穫量を示す値の入力を受け付ける際に、前記生産計画に含まれる予定収穫量の単位の種別と同一の単位の種別を、入力された前記収穫量を示す値の単位として適用する、
処理を実行することを特徴とする収穫量入力方法。
【請求項７】
前記生産計画は、前記農作物を作付けする予定の１又は複数の圃場の情報を含み、
前記コンピュータが、
入力された前記収穫量を前記１又は複数の圃場に分配して得られた各圃場の収穫量に対して、前記生産計画に含まれる予定収穫量の単位の種別と同一の単位の種別を適用する処理をさらに実行することを特徴とする請求項６に記載の収穫量入力方法。
【請求項８】
コンピュータに、
ある農作物についての収穫量の入力を受け付け、
農作物に応じた圃場の情報を記憶する記憶部を参照して、前記ある農作物に対応する１又は複数の圃場の情報を選択可能に提示し、
入力された前記収穫量を選択された１又は複数の圃場に分配し、分配された各収穫量を対応する圃場における収穫量として記憶する、
処理を実行させることを特徴とする収穫量分配プログラム。
【請求項９】
コンピュータに、
生産対象の農作物の予定収穫量を含む生産計画を受け付け、
前記農作物の収穫に応じて行われる、前記農作物の収穫量を示す値の入力を受け付ける際に、前記生産計画に含まれる予定収穫量の単位の種別と同一の単位の種別を、入力された前記収穫量を示す値の単位として適用する、
処理を実行させることを特徴とする収穫量入力プログラム。
【請求項１０】
ディスプレイを有する第１のコンピュータと、
ある農作物についての収穫量の入力を前記第１のコンピュータから受け付け、農作物に応じた圃場の情報を記憶する記憶部を参照して、前記ある農作物に対応する１又は複数の圃場の情報を選択可能に前記ディスプレイに表示し、入力された前記収穫量を選択された１又は複数の圃場に分配し、分配された各収穫量を対応する圃場における収穫量として前記ディスプレイに表示する第２のコンピュータと、
を含むことを特徴とするシステム。
【請求項１１】
ディスプレイを有する第１のコンピュータと、
生産対象の農作物の予定収穫量を含む生産計画を前記第１のコンピュータから受け付け、前記農作物の収穫量を示す値の入力を受け付ける欄とともに前記ディスプレイに表示する前記収穫量を示す値の単位として、前記生産計画に含まれる予定収穫量の単位の種別と同一の単位の種別を適用する第２のコンピュータと、
を含むことを特徴とするシステム。
【発明の詳細な説明】
【技術分野】
【０００１】
本発明は、収穫量分配方法、収穫量入力方法、収穫量分配プログラム、収穫量入力プログラムおよびシステムに関する。
【背景技術】
【０００２】
ある農作物の出荷要求に対して、要求された出荷量分の農作物を１つの圃場で確保できない場合などに、作業者が複数の圃場を回って出荷量分の農作物を収穫することがある。このような場合、農作物の収穫量は、複数の圃場で収穫された農作物の合計量で記録されることがある。【０００３】
先行技術としては、例えば、異なる商品コードと数量単位で扱われる商品の仕入れデータや売り上げデータの数量を、在庫管理に用いる商品コードの最小基本単位の数量に換算して在庫情報を更新するものがある。
【先行技術文献】
【特許文献】
【０００４】
【特許文献１】特開平１１−２０３５６２号公報
【発明の概要】
【発明が解決しようとする課題】
【０００５】
しかしながら、従来技術によれば、ある農作物を複数の圃場から収穫した際の収穫量が、複数の圃場で収穫された農作物の合計量として記録されると、圃場ごとの収穫量を特定することが困難なものとなる場合がある。【０００６】
一つの側面では、本発明は、１又は複数の圃場で収穫された農作物についての収穫量を各圃場に分配する収穫量分配方法、収穫量入力方法、収穫量分配プログラム、収穫量入力プログラムおよびシステムを提供することを目的とする。
【課題を解決するための手段】
【０００７】
本発明の一側面によれば、ある農作物についての収穫量の入力を受け付け、農作物に応じた圃場の情報を記憶する記憶部を参照して、前記ある農作物に対応する１又は複数の圃場の情報を選択可能に提示し、入力された前記収穫量を選択された１又は複数の圃場に分配し、分配された各収穫量を対応する圃場における収穫量として記憶する収穫量分配方法および収穫量分配プログラムが提案される。【０００８】
また、本発明の一側面によれば、生産対象の農作物の予定収穫量を含む生産計画を受け付け、前記農作物の収穫に応じて行われる、前記農作物の収穫量を示す値の入力を受け付ける際に、前記生産計画に含まれる予定収穫量の単位の種別と同一の単位の種別を、入力された前記収穫量を示す値の単位として適用する収穫量入力方法および収穫量入力プログラムが提案される。【０００９】
また、本発明の一側面によれば、ディスプレイを有する第１のコンピュータと、ある農作物についての収穫量の入力を前記第１のコンピュータから受け付け、農作物に応じた圃場の情報を記憶する記憶部を参照して、前記ある農作物に対応する１又は複数の圃場の情報を選択可能に前記ディスプレイに表示し、入力された前記収穫量を選択された１又は複数の圃場に分配し、分配された各収穫量を対応する圃場における収穫量として前記ディスプレイに表示する第２のコンピュータと、を含むシステムが提案される。【００１０】
また、本発明の一側面によれば、ディスプレイを有する第１のコンピュータと、生産対象の農作物の予定収穫量を含む生産計画を前記第１のコンピュータから受け付け、前記農作物の収穫量を示す値の入力を受け付ける欄とともに前記ディスプレイに表示する前記収穫量を示す値の単位として、前記生産計画に含まれる予定収穫量の単位の種別と同一の単位の種別を適用する第２のコンピュータと、を含むシステムが提案される。
【発明の効果】
【００１１】
本発明の一態様によれば、１又は複数の圃場で収穫された農作物についての収穫量を各圃場に分配することができるという効果を奏する。
【図面の簡単な説明】
【００１２】
【図１】図１は、実施の形態にかかる収穫量分配方法の一実施例を示す説明図である。
【図２】図２は、システム２００のシステム構成例を示す説明図である。
【図３】図３は、収穫量分配装置１００のハードウェア構成例を示すブロック図である。
【図４】図４は、クライアント装置２０１のハードウェア構成例を示すブロック図である。
【図５】図５は、生産計画ＤＢ２２０の記憶内容の一例を示す説明図である。
【図６】図６は、収納単位マスタ２３０の記憶内容の一例を示す説明図である。
【図７】図７は、収穫量テーブル２４０の記憶内容の一例を示す説明図である。
【図８】図８は、収納単位マスタメンテナンス画面の画面例を示す説明図である。
【図９】図９は、生産計画登録画面の画面例を示す説明図である。
【図１０】図１０は、圃場選択画面の画面例を示す説明図である。
【図１１】図１１は、収穫量登録画面の画面例を示す説明図である。
【図１２】図１２は、収穫量分配装置１００の機能的構成例を示すブロック図である。
【図１３】図１３は、収穫量登録画面１１００の画面変化例を示す説明図（その１）である。
【図１４】図１４は、収穫量登録画面１１００の画面変化例を示す説明図（その２）である。
【図１５】図１５は、収穫量分配装置１００の収穫量分配処理手順の一例を示すフローチャート（その１）である。
【図１６】図１６は、収穫量分配装置１００の収穫量分配処理手順の一例を示すフローチャート（その２）である。
【図１７】図１７は、換算比率特定処理の具体的処理手順の一例を示すフローチャートである。
【発明を実施するための形態】
【００１３】
以下に図面を参照して、本発明にかかる収穫量分配方法、収穫量入力方法、収穫量分配プログラム、収穫量入力プログラムおよびシステムの実施の形態を詳細に説明する。
【００１４】
（収穫量分配方法の一実施例）
図１は、実施の形態にかかる収穫量分配方法の一実施例を示す説明図である。図１において、収穫量分配装置１００は、１又は複数の圃場で収穫されたある農作物についての収穫量を各圃場に分配するコンピュータである。圃場は、農作物を栽培、生育するための田畑、菜園などである。農作物は、農業によって生産される物であり、例えば、穀類、野菜、果物、花卉などである。収穫量は、収穫された農作物、すなわち、収穫物の量である。
【００１５】
ここで、ある農作物の出荷要求に対して、収穫作業を行う作業者が、複数の圃場を回って要求された出荷量分の農作物を収穫することがある。例えば、２Ｌサイズのキュウリを１０箱という出荷要求を受けた際に、作業者が、複数の圃場を回って２Ｌサイズのキュウリをそれぞれ選びながら収穫し、１０箱分の２Ｌサイズのキュウリを確保することがある。このような場合、農作物の収穫量は、複数の圃場で収穫された農作物の合計量で記録されることがある。
【００１６】
一方、農業経営者などが、農作物についての圃場ごとの栽培効率や栽培費用などを分析するには、農作物についての圃場ごとの収穫量の情報を特定することが重要となる。このため、例えば、収穫作業を行う作業者が、それぞれの圃場で収穫した農作物の重量を計測して、圃場ごとの収穫量として記録することも考えられる。
【００１７】
ところが、収穫作業を行う作業者にとって、圃場ごとの収穫量を記録するのは手間であり、また、記録漏れが発生する場合もある。また、上述したように、複数の圃場を回って２Ｌサイズのキュウリをそれぞれ選びながら収穫する際には、複数の圃場で収穫したキュウリを、一つの箱や袋にまとめて入れながら収穫作業を行うことがあり、収穫後において圃場ごとの収穫量を計測することは困難である。
【００１８】
そこで、本実施の形態では、収穫量分配装置１００は、１又は複数の圃場で収穫された農作物についての収穫量を、１又は複数の圃場に分配し、分配した各収穫量を対応する圃場の収穫量として記憶する。これにより、圃場ごとのおおまかな収穫量を特定可能にして、栽培効率や栽培費用等の分析を支援する。以下、収穫量分配装置１００の収穫量分配例について説明する。
【００１９】
（１）収穫量分配装置１００は、農作物に応じた圃場の情報を記憶する記憶部１１０を参照して、ある農作物に対応する１又は複数の圃場の情報を選択可能にディスプレイ１２０に提示する。ここで、ある農作物は、収穫量の分配対象となる農作物である。ある農作物に対応する１又は複数の圃場は、ある農作物が栽培されている圃場である。
【００２０】
また、農作物に応じた圃場の情報は、圃場と対応付けて、その圃場に作付けされた農作物の品目、品種、作型などを示す情報である。品目は、農作物の種類である。品種は、同一品目の中の種類である。作型は、農作物の栽培を行うときの条件や技術の組み合わせを示す体系である。
【００２１】
具体的には、例えば、収穫量分配装置１００は、記憶部１１０を参照して、ある農作物の品目と同一の品目の農作物が作付けされた１又は複数の圃場を特定する。そして、収穫量分配装置１００は、特定した１又は複数の圃場の情報を選択可能にディスプレイ１２０に提示する。
【００２２】
図１の例では、ある農作物の品目は「キュウリ」である。また、品目が「キュウリ」の農作物が作付けされた各圃場の情報が選択可能にディスプレイ１２０に提示されている。ここでは、圃場の情報として、圃場の圃場名、面積、その圃場に作付けされた品目が「キュウリ」の農作物の品種、作型が示されている。
【００２３】
また、ディスプレイ１２０において、ユーザの操作入力により、各チェックボックス１３１〜１３４をクリックすることで、対応する各圃場の情報を選択することができる。図１の例では、圃場Ａ〜Ｄのうちの圃場Ａ，ＢおよびＤにおいて、品目が「キュウリ」の農作物の収穫作業が行われた場合を想定する。
【００２４】
この場合、ユーザの操作入力により、チェックボックス１３１，１３２，１３４がクリックされて対応する圃場Ａ，Ｂ，Ｄの情報が選択される。なお、ディスプレイ１２０は、収穫量分配装置１００が有していてもよく、また、他のコンピュータが有することにしてもよい。
【００２５】
（２）収穫量分配装置１００は、ある農作物についての収穫量の入力を受け付ける。ここで、入力される収穫量は、１又は複数の圃場で収穫されたある農作物の合計収穫量である。具体的には、例えば、収穫量分配装置１００は、ある農作物についての収穫量を重量の単位で示す値の入力を受け付ける。
【００２６】
重量の単位としては、例えば、ｋｇ（キログラム）、ｔ（トン）、ｌｂ（ポンド）などがある。図１の例では、品目が「キュウリ」の農作物についての収穫量「８０［ｋｇ］」が欄１３５に入力されている。この収穫量（８０［ｋｇ］）は、圃場Ａ，Ｂ，Ｄで収穫された農作物の合計量である。
【００２７】
なお、農作物の収穫作業において、現場で働く作業者は、収穫物の重量を意識せず、指定された箱や袋などに収穫物を入れ、収穫物を入れた箱や袋などの数で、収穫物の収穫量を記録することがある。このため、収穫量分配装置１００は、例えば、ある農作物についての収穫量を、収穫物を入れる箱や袋などの単位で示す値の入力を受け付けることにしてもよい。
【００２８】
（３）収穫量分配装置１００は、入力された収穫量を選択された１又は複数の圃場に分配し、分配された各収穫量を対応する圃場における収穫量として記憶する。ここで、圃場で栽培される農作物の収穫量は、圃場の面積の大きさ、すなわち、圃場で栽培される農作物の作付面積の大きさによって変化する。
【００２９】
このため、収穫量分配装置１００は、例えば、選択された圃場Ａ，Ｂ，Ｄの面積に応じて、各圃場Ａ，Ｂ，Ｄに対する収穫量（８０［ｋｇ］）の分配量を制御することにしてもよい。より具体的には、例えば、収穫量分配装置１００は、各圃場Ａ，Ｂ，Ｄの面積に比例して、各圃場Ａ，Ｂ，Ｄに対する収穫量（８０［ｋｇ］）の分配量を制御する。
【００３０】
図１の例では、各圃場Ａ，Ｂ，Ｄの面積に比例して、農作物の収穫量（８０［ｋｇ］）が各圃場Ａ，Ｂ，Ｄにそれぞれ分配されて記憶される。また、図１の例では、各圃場Ａ，Ｂ，Ｄにそれぞれ分配された収穫量（４０［ｋｇ］，２０［ｋｇ］，２０［ｋｇ］）が、各欄１３６〜１３８にそれぞれ表示されている。
【００３１】
このように、収穫量分配装置１００によれば、ある農作物に対応する１又は複数の圃場の情報を選択可能にディスプレイ１２０に提示することができる。これにより、ユーザは、ある農作物の品目と同一の品目の農作物が栽培されている１又は複数の圃場を特定して、ある農作物の収穫作業が行われた１又は複数の圃場を選択することができる。
【００３２】
また、収穫量分配装置１００によれば、入力された収穫量を選択された１又は複数の圃場に分配し、分配された各収穫量を対応する圃場における収穫量として記憶することができる。これにより、ユーザは、ある農作物を作付けした圃場ごとのおおまかな収穫量を特定することができ、圃場ごとの栽培効率や栽培費用等の分析に役立てることができる。
【００３３】
図１の例では、圃場Ａで収穫されたキュウリの収穫量「４０［ｋｇ］」、圃場Ｂで収穫されたキュウリの収穫量「２０［ｋｇ］」および圃場Ｄで収穫されたキュウリの収穫量「２０［ｋｇ］」を特定することができ、圃場Ａ，Ｂ，Ｄごとの栽培効率や栽培費用等の分析に役立てることができる。
【００３４】
（システム２００のシステム構成例）
つぎに、図１に示した収穫量分配装置１００をシステム２００に適用した場合について説明する。
【００３５】
図２は、システム２００のシステム構成例を示す説明図である。図２において、システム２００は、収穫量分配装置１００と、クライアント装置２０１−１〜２０１−ｎと、を含む構成である（ｎは、２以上の自然数）。システム２００において、収穫量分配装置１００とクライアント装置２０１−１〜２０１−ｎは、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３６】
ここで、収穫量分配装置１００は、生産計画ＤＢ（データベース）２２０、収納単位マスタ２３０および収穫量テーブル２４０を有し、クライアント装置２０１−１〜２０１−ｎの表示制御を行う。収穫量分配装置１００は、例えば、サーバである。各種ＤＢ等２２０，２３０，２４０の記憶内容については、図５〜図７を用いて後述する。
【００３７】
クライアント装置２０１−１〜２０１−ｎは、ディスプレイ（例えば、後述する図４に示すディスプレイ４０６）を有し、収穫量分配装置１００の表示制御に従って、各種画面を表示可能なコンピュータである。クライアント装置２０１−１〜２０１−ｎは、例えば、農業経営者や農作業に従事する作業者が使用するＰＣ（パーソナル・コンピュータ）、ノートＰＣ、タブレット型ＰＣ、スマートフォンなどである。
【００３８】
各種画面は、例えば、収納単位マスタメンテナンス画面、生産計画登録画面、圃場選択画面および収穫量登録画面などである。収納単位マスタメンテナンス画面は、農作物についての収納単位と重量の単位との換算比率を登録するための画面である。生産計画登録画面は、農作物についての生産計画を登録するための画面である。圃場選択画面は、収穫量を登録する農作物を収穫した圃場を選択するための画面である。収穫量登録画面は、農作物についての収穫量を登録するための画面である。
【００３９】
具体的には、例えば、収穫量分配装置１００は、クライアント装置２０１−１〜２０１−ｎから各種画面の表示要求を受信すると、各種画面の画面情報を生成してクライアント装置２０１−１〜２０１−ｎに送信する。この結果、クライアント装置２０１−１〜２０１−ｎのディスプレイに各種画面が表示される。各種画面の画面例については、図８〜図１１を用いて後述する。
【００４０】
以下の説明では、クライアント装置２０１−１〜２０１−ｎを単に「クライアント装置２０１」と表記する場合がある。
【００４１】
（収穫量分配装置１００のハードウェア構成例）
図３は、収穫量分配装置１００のハードウェア構成例を示すブロック図である。図３において、収穫量分配装置１００は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００４２】
ここで、ＣＰＵ３０１は、収穫量分配装置１００の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００４３】
Ｉ／Ｆ３０３は、通信回線を通じてネットワーク２１０に接続され、ネットワーク２１０を介して他のコンピュータ（例えば、図２に示したクライアント装置２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００４４】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４５】
なお、収穫量分配装置１００は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００４６】
（クライアント装置２０１のハードウェア構成例）
図４は、クライアント装置２０１のハードウェア構成例を示すブロック図である。図４において、クライアント装置２０１は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００４７】
ここで、ＣＰＵ４０１は、クライアント装置２０１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４８】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４９】
Ｉ／Ｆ４０５は、通信回線を通じてネットワーク２１０に接続され、ネットワーク２１０を介して他のコンピュータ（例えば、収穫量分配装置１００）に接続される。そして、Ｉ／Ｆ４０５は、ネットワーク２１０と内部のインターフェースを司り、他のコンピュータからのデータの入出力を制御する。
【００５０】
ディスプレイ４０６は、カーソル、アイコンあるいはツールボックスをはじめ、文書、画像、機能情報などのデータを表示する。ディスプレイ４０６は、例えば、ＣＲＴ（Ｃａｔｈｏｄｅ  Ｒａｙ  Ｔｕｂｅ）、液晶ディスプレイ、有機ＥＬ（Ｅｌｅｃｔｒｏｌｕｍｉｎｅｓｃｅｎｃｅ）ディスプレイなどを採用することができる。ディスプレイ４０６は、図１に示したディスプレイ１２０に相当する。
【００５１】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００５２】
なお、クライアント装置２０１は、上述した構成部のうち、例えば、ディスクドライブ４０３、ディスク４０４などを有さないことにしてもよい。また、クライアント装置２０１は、上述した構成部のほか、例えば、ＳＳＤ、スキャナ、プリンタなどを有することにしてもよい。
【００５３】
（各種ＤＢ２２０，２３０，２４０の記憶内容）
つぎに、図５〜図７を用いて各種ＤＢ２２０，２３０，２４０の記憶内容について説明する。各種ＤＢ２２０，２３０，２４０は、例えば、図３に示した収穫量分配装置１００のメモリ３０２、ディスク３０５により実現される。
【００５４】
＜生産計画ＤＢ２２０の記憶内容＞
図５は、生産計画ＤＢ２２０の記憶内容の一例を示す説明図である。図５において、生産計画ＤＢ２２０は、圃場グループ名、圃場名、分筆名称、品目、品種、作型、作付面積、収納単位、生育ステージ別計画期間および生育ステージ別実績期間のフィールドを有する。各フィールドに情報を設定することで、生産計画情報（例えば、生産計画情報５００−１）がレコードとして記憶される。
【００５５】
ここで、生産計画とは、生産対象となる農作物をどの圃場にどれくらい作付けするのかの計画である。圃場グループ名は、一括して管理する複数の圃場が属するグループの名称である。圃場名は、圃場の名称である。分筆名称は、圃場を区切って分割した区画の名称である。
【００５６】
品目は、農作物の種類である。品目としては、例えば、トマト、水稲、キャベツなどがある。品種は、同一品目の中の種類である。例えば、キャベツの品種として、夏蒔きの品種であれば「彩風」「グリーンボール」、春蒔きの品種であれば「中早生２号」「中早生３号」「秋早生」「新風」などがある。作型は、農作物の栽培を行うときの条件や技術の組み合わせを示す体系である。作型としては、例えば、直播、田植え、春まき栽培、夏まき栽培、秋まき栽培、冬まき栽培などがある。
【００５７】
作付面積は、農作物を作付けする面積である。収納単位は、収穫作業において用いられる収穫物を入れる容器や収穫物をまとめた束を数える単位である。収納単位としては、例えば、箱、袋、コンテナ、束、本などがある。生育ステージ別計画期間は、農作物の生育ステージごとの予定の時期である。生育ステージ別実績期間は、農作物の生育ステージごとの実際の時期である。
【００５８】
生育ステージは、農作物の生育段階を示すものである。例えば、トマトの生育ステージとして、播種期、育苗期、定植期、生育期、開花期、果実肥大期、収穫期などがある。なお、図示は省略するが、生産計画ＤＢ２２０には、上述した情報のほかに、例えば、栽培指針、栽培開始予定日、栽培終了予定日、栽培期間、収穫量、販売単価、販売金額などの計画が記憶されることにしてもよい。生産計画ＤＢ２２０は、図１に示した記憶部１１０に対応する。
【００５９】
＜収納単位マスタ２３０の記憶内容＞
図６は、収納単位マスタ２３０の記憶内容の一例を示す説明図である。図６において、収納単位マスタ２３０は、品目、作型、収納単位、適用期間およびｋｇ換算値のフィールドを有し、各フィールドに情報を設定することで、収納単位情報（例えば、収納単位情報６００−１〜６００−６）をレコードとして記憶する。
【００６０】
ここで、品目は、農作物の種類である。作型は、農作物の栽培を行うときの条件や技術の組み合わせを示す体系である。収納単位は、収穫作業において用いられる収穫物を入れる容器や収穫物をまとめた束を数える単位である。適用期間は、ｋｇ換算値で示される換算比率を適用する期間である。ｋｇ換算値は、収穫量を収納単位で示す値を、重量の単位であるｋｇに換算する際に適用する換算比率を示す。
【００６１】
＜収穫量テーブル２４０の記憶内容＞
図７は、収穫量テーブル２４０の記憶内容の一例を示す説明図である。図７において、収穫量テーブル２４０は、生産計画が立てられたある農作物についての収穫量を記憶する。収穫量テーブル２４０は、収穫日、合計収穫量（ｋｇ）、品目、分筆名称、作付面積、品種、作型、栽培期間、収穫量および収穫量（ｋｇ）のフィールドを有する。各フィールドに情報を設定することで、収穫量情報（例えば、収穫量情報７００−１〜７００−３）がレコードとして記憶される。
【００６２】
ここで、収穫日は、農作物を収穫した年月日である。合計収穫量（ｋｇ）は、１又は複数の圃場で収穫された農作物の合計量である。品目は、農作物の種類である。分筆名称は、圃場を区切って分割した区画の名称である。作付面積は、農作物を作付けする面積である。
【００６３】
品種は、同一品目の中の種類である。作型は、農作物の栽培を行うときの条件や技術の組み合わせを示す体系である。栽培期間は、農作物を栽培している期間である。収穫量は、農作物についての収穫量を、収穫物を入れる箱や袋などの単位で示したものである。収穫量（ｋｇ）は、農作物についての収穫量をｋｇの単位で示したものである。
【００６４】
例えば、収穫量情報７００−１は、収穫日「２０１４／０２／１２」に収穫された品目「トマト」の農作物についての合計収穫量（ｋｇ）を示している。また、収穫量情報７００−１は、分筆名称「椎浜Ａ１」の圃場で栽培中の品目「トマト」、品種「ｘｘ太郎」、作型「早熟栽培」の農作物について、収穫日「２０１４／０２／１２」の収穫量「４６５００（ｇ）」および収穫量（ｋｇ）「４６．５」を示している。また、収穫量情報７００−１は、分筆名称「椎浜Ａ１」の圃場の作付面積「２．０ｈａ」および栽培期間「１３／０９／０２−（栽培中）」を示している。
【００６５】
（収納単位マスタメンテナンス画面の画面例）
図８は、収納単位マスタメンテナンス画面の画面例を示す説明図である。図８において、収納単位マスタメンテナンス画面８００は、農作物についての収納単位と重量の単位との換算比率を登録するための画面である。収納単位マスタメンテナンス画面８００は、クライアント装置２０１のディスプレイ４０６に表示される。
【００６６】
収納単位マスタメンテナンス画面８００において、例えば、図４に示したクライアント装置２０１の入力装置４０７を用いたユーザの操作入力により、ボックス８０１をクリックすると、農作物の品目を入力することができる。ここでは、品目「トマト」が入力されている。
【００６７】
また、ボックス８０２をクリックすると、農作物の作型を入力することができる。ここでは、作型「共通」が入力されている。作型「共通」は、すべての作型に共通することを意味する。また、ボックス８０３をクリックすると、農作物の収納単位名称を入力することができる。ここでは、収納単位名称「コンテナ」が入力されている。
【００６８】
また、ボックス８０４をクリックすると、ｋｇ換算値で示される換算比率を適用する適用期間を入力することができる。ここでは、適用期間「０３／０１−０９／３０」が入力されている。また、ボックス８０５をクリックすると、ｋｇ換算値を入力することができる。ここでは、ｋｇ換算値「１０．０」が入力されている。
【００６９】
また、追加ボタン８０６をクリックすると、適用期間を入力するボックスとｋｇ換算値を入力するボックスを追加することができる。ここでは、適用期間を入力するボックス８０７とｋｇ換算値を入力するボックス８０８が追加されている。そして、ボックス８０７に適用期間「１０／０１−０２／２８」が入力され、ボックス８０８にｋｇ換算値「９．０」が入力されている。
【００７０】
また、削除ボタン８０９をクリックすると、ボックス８０４，８０５を削除することができる。また、追加ボタン８１０をクリックすると、収納単位名称を入力するボックスを追加することができる。ここでは、収納単位名称を入力するボックス８１１，８１２が追加されている。
【００７１】
また、登録ボタン８１３をクリックすると、収納単位マスタメンテナンス画面８００に入力された各種情報がクライアント装置２０１から収穫量分配装置１００に送信される。この結果、収納単位マスタメンテナンス画面８００に入力された各種情報に基づく収納単位情報が収納単位マスタ２３０に記憶される。
【００７２】
このように、収納単位マスタメンテナンス画面８００によれば、品目、作型、収納単位、適用期間およびｋｇ換算値を入力することにより、農作物についての収納単位と重量の単位との換算比率を収納単位マスタ２３０に登録することができる。図８の例では、図６に示した収納単位情報６００−１〜６００−６が収納単位マスタ２３０に記憶される。
【００７３】
なお、上述した説明では、ｋｇ換算値で示される換算比率を適用する適用期間を入力することにしたが、これに限らない。例えば、ユーザが、ｋｇ換算値で示される換算比率を適用する適用期間を意識した収納単位名称を入力することで、適用期間の入力を省略することにしてもよい。
【００７４】
具体的には、例えば、適用期間「０３／０１−０９／３０」における収穫作業に用いられるコンテナを、「夏コンテナ」と呼ぶことにする場合、ユーザが、適用期間「０３／０１−０９／３０」を意識した収納単位名称として、「夏コンテナ」をボックス８０３に入力することにしてもよい。
【００７５】
（生産計画登録画面の画面例）
図９は、生産計画登録画面の画面例を示す説明図である。図９において、生産計画登録画面９００は、生産対象の農作物についての生産計画を登録するための画面である。生産計画登録画面９００は、クライアント装置２０１のディスプレイ４０６に表示される。
【００７６】
生産計画登録画面９００において、例えば、ボックス９０１をクリックすると、農作物についての生産計画を立てる年度を入力することができる。ここでは、年度「２０１４年度」が入力されている。また、ボックス９０２をクリックすると、農作物の品目を入力することができる。ここでは、品目「トマト」が入力されている。
【００７７】
また、ボックス９０３をクリックすると、農作物の品種を入力することができる。ここでは、品種「ｘｘ太郎」が入力されている。また、ボックス９０４をクリックすると、農作物の作型を入力することができる。ここでは、作型「夏まき栽培」が入力されている。また、ボックス９０５をクリックすると、農作物を作付けする圃場が属する圃場グループを入力することができる。ここでは、圃場グループ「ももち」が入力されている。
【００７８】
また、ボックス９０６をクリックすると、農作物を作付けする圃場を入力することができる。ここでは、圃場「ももちＡ２（２．０ｈａ）」が入力されている。また、ボックス９０７をクリックすると、農作物を作付けする圃場の分筆名称を入力することができる。ここでは、分筆名称「ももちＡ２−Ａ」が入力されている。
【００７９】
また、ボックス９０８をクリックすると、農作物を作付けする作付面積を入力することができる。ここでは、作付面積「２．０」が入力されている。また、ボックス９０９をクリックすると、農作物の収納単位名称を入力することができる。農作物の収納単位は、例えば、農作物の品目や農作物を作付けする作付面積等を考慮して決められる。ここでは、収納単位名称「コンテナ」が入力されている。
【００８０】
また、ボックス９１０をクリックすると、農作物の栽培開始予定日付を入力することができる。また、ボックス９１１をクリックすると、農作物の栽培終了予定日付を入力することができる。また、ボックス９１２をクリックすると、農作物の生育ステージ別計画期間の開始日を入力することができる。
【００８１】
また、ボックス９１３をクリックすると、農作物の生育ステージ別計画期間の終了日を入力することができる。ここでは、農作物の生育ステージ別計画期間として、播種期間、育苗期間、定植期間、生育期間、開花期間、果実肥大期間および収穫期間の開始日、終了日がそれぞれ入力されている。
【００８２】
また、ボックス９１４をクリックすると、農作物の生育ステージ別実績期間の開始日を入力することができる。また、ボックス９１５をクリックすると、農作物の生育ステージ別実績期間の終了日を入力することができる。また、ボタン９１６をクリックすると、栽培開始予定日付または栽培終了予定日付に基づいて、農作物の標準的な生育ステージ別計画期間が自動算出されて、ボックス９１２，９１３に開始日、終了日が入力される。
【００８３】
また、登録ボタン９１７をクリックすると、生産計画登録画面９００に入力された各種情報がクライアント装置２０１から収穫量分配装置１００に送信される。この結果、生産計画登録画面９００に入力された各種情報に基づく生産計画情報が生産計画ＤＢ２２０に記憶される。
【００８４】
このように、生産計画登録画面９００によれば、栽培予定である農作物についての各種情報を入力することにより、農作物についての生産計画を生産計画ＤＢ２２０に登録することができる。図９の例では、図５に示した生産計画情報５００−１が生産計画ＤＢ２２０に記憶される。
【００８５】
（圃場選択画面の画面例）
図１０は、圃場選択画面の画面例を示す説明図である。図１０において、圃場選択画面１０００は、収穫量を登録する農作物を収穫した圃場を選択するための画面である。圃場選択画面１０００は、クライアント装置２０１のディスプレイ４０６に表示される。
【００８６】
圃場選択画面１０００において、ボックス１００１をクリックすると、収穫量を登録する農作物の品目を入力することができる。ここでは、品目「トマト」が入力されている。ボックス１００２をクリックすると、農作物を収穫した収穫日を入力することができる。ここでは、収穫日「２０１４年２月１２日」が入力されている。
【００８７】
また、ボックス１００３をクリックすると、ボックス１００２に入力される収穫日に、１又は複数の圃場で収穫された農作物の合計の収穫量を入力することができる。ここでは、収穫量「１８６［ｋｇ］」が入力されている。
【００８８】
また、検索ボタン１００４をクリックすると、ボックス１００１〜１００３に入力された入力結果がクライアント装置２０１から収穫量分配装置１００に送信される。この結果、収穫量分配装置１００において品目が「トマト」の農作物が作付けされた圃場が検索され、検索された圃場の圃場情報が選択可能に圃場選択画面１０００に表示される。図１０の例では、トマトを栽培中の圃場の圃場情報１００４〜１００８が選択可能に表示されている。
【００８９】
また、各圃場情報１００４〜１００８のチェックボックス１００９〜１０１３をクリックすると、ボックス１００２に入力される収穫日に農作物を収穫した圃場の圃場情報を選択することができる。具体的には、例えば、ユーザは、各圃場情報１００４〜１００８の分筆名称や品種、作型などを参照しながら、２０１４年２月１２日にトマトを収穫した圃場の圃場情報を選択する。図１０の例では、圃場情報１００４，１００６，１００８が選択されている。
【００９０】
また、次へボタン１０１４をクリックすると、ボックス１００３に入力された収穫量が、選択された圃場情報１００４，１００６，１００８の圃場にそれぞれ分配される。そして、分配された各収穫量を対応する圃場における収穫量として示す収穫量登録画面１１００（後述する図１１参照）が表示される。
【００９１】
（収穫量登録画面の画面例）
図１１は、収穫量登録画面の画面例を示す説明図である。図１１において、収穫量登録画面１１００は、農作物についての収穫量を登録するための画面である。収穫量登録画面１１００は、クライアント装置２０１のディスプレイ４０６に表示される。
【００９２】
収穫量登録画面１１００には、２０１４年２月１２日に収穫されたトマトの収穫量「１８６［ｋｇ］」が表示されている。この収穫量「１８６［ｋｇ］」は、２０１４年２月１２日に複数の圃場で収穫されたトマトの合計の収穫量である。
【００９３】
また、収穫量登録画面１１００には、圃場選択画面１０００（図１０参照）において選択された圃場情報１００４，１００６，１００８の内容が表示されている。これにより、２０１４年２月１２日にトマトを収穫した圃場を特定することができる。
【００９４】
また、ボックス１１０１〜１１０３には、各圃場の収穫量（４６．５［ｋｇ］，４６．５［ｋｇ］，９３．０［ｋｇ］）が表示されている。また、ボックス１１０４には、各圃場の収穫量（ｋｇ）を合計した値（１８６［ｋｇ］）が表示されている。これにより、２０１４年２月１２日に収穫されたトマトの合計収穫量である１８６［ｋｇ］を各圃場に配分して得られた収穫量を特定することができる。
【００９５】
また、ボックス１１０５〜１１０７には、各圃場の収穫量（ｋｇ）を、所定の換算比率で、収納単位で示す値に換算した収穫量が表示されている。ただし、収穫量を収納単位で示す値は、小数第１位を四捨五入したものである。これにより、各圃場の収穫量を、農作物の収穫作業に用いられた箱やコンテナなどの収納単位で示す値で特定することができ、各圃場で収穫作業を行った作業者の作業実績などの判断に役立てることができる。
【００９６】
また、収穫量登録画面１１００において、登録ボタン１１０８をクリックすると、ボックス１１０１〜１１０３，１１０５〜１１０７に入力されている各種収穫量情報がクライアント装置２０１から収穫量分配装置１００に送信される。この結果、各種収穫量情報に基づく収穫量情報が収穫量テーブル２４０に記憶される。
【００９７】
このように、収穫量登録画面１１００によれば、農作物についての圃場単位の収穫量を収穫量テーブル２４０に登録することができる。図１１の例では、図７に示した収穫量情報７００−１〜７００−３が収穫量テーブル２４０に記憶される。なお、収穫量登録画面１１００において、戻るボタン１１０９をクリックすると、圃場選択画面１０００に戻って、圃場情報の選択をやり直すことができる。
【００９８】
（収穫量分配装置１００の機能的構成例）
図１２は、収穫量分配装置１００の機能的構成例を示すブロック図である。図１２において、収穫量分配装置１００は、受付部１２０１と、表示制御部１２０２と、分配部１２０３と、変換部１２０４と、を含む構成である。受付部１２０１〜変換部１２０４は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００９９】
受付部１２０１は、ある農作物についての品目、収穫日および収穫量の入力を受け付ける。ここで、ある農作物は、収穫量の登録対象となる農作物である。品目は、ある農作物の種類である。収穫日は、ある農作物を収穫した日、例えば、年月日である。収穫量は、ある農作物の収穫量である。入力される収穫量は、例えば、１又は複数の圃場で収穫された収穫日単位の農作物の合計量である。
【０１００】
以下の説明では、１又は複数の圃場で収穫された農作物の合計量を「合計収穫量」と表記する場合がある。また、入力される合計収穫量は、ｋｇなどの重量の単位である場合を例に挙げて説明する。また、収穫量を重量の単位で示す値を、単に「重量値」と表記する場合がある。
【０１０１】
ある農作物についての品目、収穫日および合計収穫量は、例えば、圃場選択画面１０００（図１０参照）において、クライアント装置２０１のユーザの操作入力により入力される。ユーザは、例えば、農作物の収穫作業を行った作業者や作業者を管理する農業経営者などである。
【０１０２】
クライアント装置２０１は、入力された品目、収穫日および合計収穫量の入力結果を収穫量分配装置１００に送信する。この場合、受付部１２０１は、クライアント装置２０１から入力結果を受信することにより、ある農作物についての品目、収穫日および合計収穫量の入力を受け付ける。
【０１０３】
表示制御部１２０２は、ある農作物に対応する１又は複数の圃場の圃場情報を選択可能に表示する。具体的には、例えば、表示制御部１２０２は、生産計画ＤＢ２２０から、入力された品目が品目フィールドに設定された１又は複数の圃場の生産計画情報を取得する。これにより、ある農作物の品目に対応する１又は複数の圃場、すなわち、ある農作物の品目と同一の品目の農作物が作付けされた１又は複数の圃場を特定することができる。
【０１０４】
そして、表示制御部１２０２は、取得した１又は複数の圃場の生産計画情報を参照して、１又は複数の圃場の圃場情報を特定する。各圃場の圃場情報は、例えば、各圃場の圃場グループ名、圃場名、分筆名称、品目、品種、作型、作付面積、収納単位および栽培期間などの情報を含む。
【０１０５】
つぎに、表示制御部１２０２は、特定した１又は複数の圃場の圃場情報を選択可能にディスプレイ４０６に表示する制御を行う。より具体的には、例えば、表示制御部１２０２は、特定した１又は複数の圃場の圃場情報を選択可能に提示する圃場選択画面１０００の画面情報を生成して、クライアント装置２０２に送信する。これにより、ある農作物が作付けされた１又は複数の圃場の圃場情報を選択可能にディスプレイ４０６に提示することができる。
【０１０６】
また、受付部１２０１は、特定した１又は複数の圃場のうち、入力された収穫日に、ある農作物についての収穫作業が行われた圃場の選択を受け付ける。圃場の選択は、例えば、圃場選択画面１０００（図１０参照）において、ユーザの操作入力により行われる。クライアント装置２０１は、選択された圃場の選択結果を収穫量分配装置１００に送信する。この場合、受付部１２０１は、クライアント装置２０１から選択結果を受信することにより、圃場の選択を受け付ける。
【０１０７】
分配部１２０３は、入力された合計収穫量を、選択された１又は複数の圃場に分配する。具体的には、例えば、分配部１２０３は、選択された１又は複数の圃場の作付面積に比例して、１又は複数の圃場に対する合計収穫量の分配量を制御する。各圃場の作付面積は、ある農作物が作付けされた面積であり、例えば、各圃場の生産計画情報から特定される。
【０１０８】
一例として、図１０に示したように、圃場選択画面１０００において、圃場情報１００４，１００６，１００８が選択された場合を想定する。また、選択された圃場情報１００４，１００６，１００８から特定される各圃場の作付面積は、それぞれ２．０［ｈａ］，２．０［ｈａ］，４．０［ｈａ］である。
【０１０９】
この場合、分配部１２０３は、合計収穫量「１８６［ｋｇ］」を合計作付面積「８．０［ｈａ］」で除算した値［２３．２５［ｋｇ／ｈａ］］を、各圃場の作付面積に乗じることにより、各圃場の収穫量（ｋｇ）を算出する。この結果、圃場情報１００４，１００６，１００８から特定される各圃場の収穫量（ｋｇ）は、それぞれ４６．５［ｋｇ］，４６．５［ｋｇ］，９３．０［ｋｇ］となる。
【０１１０】
また、分配部１２０３は、１又は複数の圃場に分配した各収穫量を対応する圃場における収穫量として記憶する。具体的には、例えば、分配部１２０３は、分配した各収穫量４６．５［ｋｇ］，４６．５［ｋｇ］，９３．０［ｋｇ］を、収穫量テーブル２４０内の対応する圃場における収穫量（ｋｇ）として記憶する。
【０１１１】
また、表示制御部１２０２は、１又は複数の圃場に分配された各収穫量を対応する圃場における収穫量として表示する。具体的には、例えば、表示制御部１２０２は、各圃場に分配された収穫量を、各圃場における収穫量（ｋｇ）として表示する収穫量登録画面１１００（例えば、図１１参照）の画面情報を生成して、クライアント装置２０１に送信する。
【０１１２】
これにより、ある農作物についての合計収穫量を、その農作物についての収穫作業が行われた１又は複数の圃場に分配して得られた各収穫量を、それぞれ対応する圃場における収穫量（ｋｇ）としてディスプレイ４０６に表示することができる。
【０１１３】
変換部１２０４は、１又は複数の圃場に分配された各収穫量、すなわち、分配された各重量値を、それぞれ対応する圃場における収穫量を収納単位で示す値に変換する。収納単位は、収穫物の量を測る単位であり、例えば、収穫作業において用いられたコンテナや箱などの収穫物を入れる容器や収穫物をまとめた束を数える単位である。
【０１１４】
ここで、農作物の品目が異なると、農作物の形状や密度が異なり、収穫作業に用いられる１つのコンテナや箱に入る農作物の重量が変化する場合がある。例えば、トマトの密度はピーマンの密度よりも高く、１つのコンテナや箱に入るトマトの重量はピーマンよりも大きくなる。
【０１１５】
このため、変換部１２０４は、例えば、農作物の品目に応じた換算比率で、分配された重量値を、対応する圃場における収穫量を収納単位で示す値に換算することにしてもよい。換算比率は、ある農作物の収穫量を、重量の単位で示した値と収納単位で示した値との比率である。これにより、農作物の品目の違いにより変化する形状や密度を考慮して、農作物についての収穫量を重量の単位で示す値を、収納単位で示す値に変換することができる。
【０１１６】
また、農作物の品目が同一であっても、農作物の作型や収穫時期が異なると、農作物の密度が異なり、１つのコンテナや箱に入る農作物の重量が変化する場合がある。例えば、トマトの密度は、冬に採れるトマトよりも夏に採れるトマトのほうが高い。このため、１つのコンテナや箱に入る夏トマトの重量は冬トマトよりも大きくなる。
【０１１７】
このため、変換部１２０４は、例えば、農作物の作型、もしくは農作物の収穫日、もしくは農作物の収穫予定時期のいずれかに応じた換算比率で、分配された重量値を収納単位で示す値に換算することにしてもよい。農作物の作型や収穫予定時期は、例えば、各圃場の生産計画情報から特定される。
【０１１８】
一例として、図５に示した生産計画情報５００−１を例に挙げて説明する。この場合、変換部１２０４は、生産計画情報５００−１を参照して、農作物の品目「トマト」、作型「夏まき栽培」および収納単位「コンテナ」を特定する。
【０１１９】
また、変換部１２０４は、生産計画情報５００−１を参照して、生育ステージ別計画期間あるいは生育ステージ別実績期間の収穫期間を、農作物の収穫予定時期として特定する。ここでは、生育ステージ別計画期間の収穫期間「２０１４／０２／０５〜２０１４／０２／２８」が、農作物の収穫予定時期として特定された場合を想定する。この際、変換部１２０４は、入力された収穫日を、農作物の収穫日として特定することにしてもよい。
【０１２０】
そして、変換部１２０４は、収納単位マスタ２３０から、特定した農作物の品目「トマト」、作型「夏まき栽培」および収納単位「コンテナ」に対応する収納単位情報６００−１，６００−２を抽出する。つぎに、変換部１２０４は、抽出した収納単位情報６００−１，６００−２のうち、適用期間に農作物の収穫予定時期あるいは収穫日が含まれる収納単位情報を特定する。
【０１２１】
ここでは、変換部１２０４は、収納単位情報６００−１，６００−２のうち、適用期間に収穫予定時期「０２／０５〜０２／２８」が含まれる収納単位情報６００−２を特定する。そして、変換部１２０４は、特定した収納単位情報６００−２を参照して、ｋｇ換算値「９．０」を特定する。これにより、農作物の品目、作型、収穫時期および収納単位に対応するｋｇ換算値を特定することができる。
【０１２２】
そして、変換部１２０４は、分配された重量値を、特定したｋｇ換算値で示される換算比率で、収納単位で示す値に換算する。これにより、農作物の品目、作型、収穫時期の違いにより変化する密度を考慮して、農作物についての収穫量を重量の単位で示す値を、収納単位で示す値に変換することができる。
【０１２３】
例えば、図１１に示したように、分筆名称が「ももちＡ２−Ａ」の圃場に分配された収穫量（ｋｇ）を「４６．５［ｋｇ］」とする。この場合、変換部１２０４は、分配された収穫量「４６．５」を、特定したｋｇ換算値「９．０」で除算することにより、コンテナの単位で示す値「５」に換算する。ただし、この値は、小数第１位を四捨五入したものである。
【０１２４】
また、変換部１２０４は、分配された各重量値を変換して得られた収穫量を収納単位で示す値を、対応する圃場における収穫量として記憶する。具体的には、例えば、分配部１２０３は、変換して得られた収穫量をコンテナの単位で示す値「５」を、収穫量テーブル２４０内の分筆名称が「ももちＡ２−Ａ」の圃場における収穫量として記憶する。
【０１２５】
また、表示制御部１２０２は、分配された各重量値を変換して得られた収穫量を収納単位で示す値を表示する。具体的には、例えば、表示制御部１２０２は、各圃場に分配された重量値を変換して得られた収納単位で示す値を、各圃場における収穫量として表示する収穫量登録画面１１００（例えば、図１１参照）の画面情報を生成して、クライアント装置２０１に送信する。
【０１２６】
この際、表示制御部１２０２は、収納単位で示す値の入力または変更を受け付ける欄とともに表示する収納単位の種別として、生産計画で指定された収納単位の種別と同一の単位の種別を出力する。生産計画で指定された収納単位の種別は、例えば、図９に示した生産計画登録画面９００においてボックス９０９に入力された収納単位の種別であり、各圃場の生産計画情報から特定される。
【０１２７】
これにより、ある農作物についての収穫作業が行われた１又は複数の圃場に分配された各収穫量（ｋｇ）を変換して得られた収穫量を収納単位で示す値を、それぞれ対応する圃場における収穫量としてディスプレイ４０６に表示することができる。この際、収納単位で示す値の入力または変更を受け付ける欄（例えば、図１１に示したボックス１１０６，１１０７）とともに表示する収納単位の種別として、生産計画で指定された収納単位の種別と同一の単位の種別を適用することができる。
【０１２８】
また、受付部１２０１は、表示された圃場の重量値の変更を受け付ける。各圃場の重量値の変更は、例えば、収穫量登録画面１１００において、クライアント装置２０１のユーザの操作入力により行われる。クライアント装置２０１は、変更が行われた重量値の変更結果を収穫量分配装置１００に送信する。
【０１２９】
この場合、受付部１２０１は、クライアント装置２０１から変更結果を受信することにより、各圃場の重量値の変更を受け付ける。各圃場の重量値の変更は、例えば、収穫量登録画面１１００に表示された圃場の収穫量（ｋｇ）が、圃場で収穫された収穫物の実際の重量と異なると判断された場合などに行われる。
【０１３０】
また、変換部１２０４は、表示された圃場の重量値が変更された場合は、変更後の重量値を収納単位で示す値に変換することにしてもよい。具体的には、例えば、変換部１２０４は、変更後の重量値を、収納単位マスタ２３０から特定したｋｇ換算値で示される換算比率で、収納単位で示す値に換算する。
【０１３１】
また、表示制御部１２０２は、表示された圃場の重量値が変更された場合は、当該圃場の収穫量を収納単位で示す値を、変更後の重量値を変換して得られた収納単位で示す値に変更することにしてもよい。具体的には、例えば、表示制御部１２０２は、収穫量登録画面１１００内の収穫量を収納単位で示す値を、変更後の収穫量（ｋｇ）を変換して得られた収納単位で示す値に変更する制御を行う。
【０１３２】
なお、圃場の重量値が変更された場合の収穫量登録画面１１００の画面変化例については、図１３を用いて後述する。
【０１３３】
また、表示制御部１２０２は、表示された圃場の重量値が変更された場合は、変更後の重量値と、変更後の重量値を変換して得られた収納単位で示す値とを、対応する圃場における収穫量として収穫量テーブル２４０に記憶する。これにより、圃場の収穫量についての変更を収穫量テーブル２４０に反映することができる。
【０１３４】
また、受付部１２０１は、表示された圃場の収穫量を収納単位で示す値の変更を受け付ける。各圃場の収穫量を収納単位で示す値の変更は、例えば、収穫量登録画面１１００において、クライアント装置２０１のユーザの操作入力により行われる。クライアント装置２０１は、変更が行われた収穫量を収納単位で示す値の変更結果を収穫量分配装置１００に送信する。
【０１３５】
この場合、受付部１２０１は、クライアント装置２０１から変更結果を受信することにより、各圃場の収穫量を収納単位で示す値の変更を受け付ける。各圃場の収穫量を収納単位で示す値の変更は、例えば、表示された収納単位で示す値が、各圃場で収穫作業を行った作業者が記憶している値、あるいは、作業者によって記録された値と異なると判断された場合などに行われる。
【０１３６】
また、変換部１２０４は、表示された圃場の収穫量を収納単位で示す値が変更された場合は、変更後の収納単位で示す値を重量値に変換することにしてもよい。具体的には、例えば、変換部１２０４は、変更後の収納単位で示す値を、収納単位マスタ２３０から特定したｋｇ換算値で示される換算比率で、重量値に換算する。
【０１３７】
また、表示制御部１２０２は、表示した圃場の収穫量を収納単位で示す値が変更された場合は、当該圃場の重量値を、変更後の収納単位で示す値を変換して得られた重量値に変更することにしてもよい。具体的には、例えば、表示制御部１２０２は、収穫量登録画面１１００内の収穫量（ｋｇ）を、変更後の収納単位で示す値を変換して得られた重量値に変更する制御を行う。
【０１３８】
なお、圃場の収穫量を収納単位で示す値が変更された場合の収穫量登録画面１１００の画面変化例については、図１４を用いて後述する。
【０１３９】
また、表示制御部１２０２は、表示された圃場の収穫量を収納単位で示す値が変更された場合は、変更後の収納単位で示す値と、変更後の収納単位で示す値を変換して得られた重量値とを、対応する圃場における収穫量として収穫量テーブル２４０に記憶する。これにより、圃場の収穫量についての変更を収穫量テーブル２４０に反映することができる。
【０１４０】
なお、上述した説明では、分配された各重量値を変換して得られた収穫量を収納単位で示す値を表示することにしたが、これに限らない。具体的には、例えば、変換部１２０４が分配された各重量値の変換を行わない、あるいは、表示制御部１２０２が変換して得られた収納単位で示す値を表示しないことにしてもよい。
【０１４１】
この場合、受付部１２０１は、分配された各重量値に対応する収納単位で示す値の入力を受け付けることにしてもよい。この際、上述したように、収穫量を収納単位で示す値の入力を受け付ける欄とともに表示する収納単位の種別として、生産計画で指定された収納単位の種別と同一の単位の種別を適用することで、ユーザによる収穫量の入力をしやすくすることができる。
【０１４２】
また、変換部１２０４は、分配された各重量値に対応して入力された収納単位で示す値を重量値に変換することにしてもよい。そして、表示制御部１２０２は、分配された重量値を、入力された収納単位で示す値を変換して得られた重量値に変更することにしてもよい。
【０１４３】
また、上述した説明では、農作物の合計収穫量として、重量の単位で示す値の入力を受け付ける場合を例に挙げて説明したが、これに限らない。具体的には、例えば、受付部１２０１は、農作物の合計収穫量として収納単位で示す値の入力を受け付けることにしてもよい。この場合、分配部１２０３は、入力された合計収穫量を収納単位で示す値を、選択された１又は複数の圃場に分配する。
【０１４４】
（収穫量登録画面１１００の画面変化例）
つぎに、図１１に示した収穫量登録画面１１００を例に挙げて、収穫量登録画面１１００の画面変化例について説明する。ここで、図１１に示した収穫量登録画面１１００によれば、実際に各圃場で収穫された農作物の重量を測らなくても、農作物の合計収穫量を面積按分して得られた収穫量（ｋｇ）をもとに、各圃場の収穫量を重量単位で特定して、収穫量や反収などを評価することが可能となる。なお、反収とは、田畑１反当たりの農作物の収穫高である。反収は、１反当たりに代えて、１０ａ（アール）当たりで表現されることもある。
【０１４５】
また、収穫量登録画面１１００によれば、各圃場の収穫量（ｋｇ）を変換して得られた収穫量を収納単位で示す値をもとに、各圃場で収穫作業を行った作業者の作業実績を評価することが可能となる。以下、収穫量登録画面１１００において、各種収穫量を修正した場合の画面変化例について説明する。
【０１４６】
図１３は、収穫量登録画面１１００の画面変化例を示す説明図（その１）である。ここでは、農作物の収穫量を重量の単位で示す値が変更された場合の収穫量登録画面１１００の画面変化例について説明する。なお、図１３では、収穫量登録画面１１００の一部を抜粋して表示する。
【０１４７】
ここで、２０１４年２月１２日に、分筆名称「椎浜Ａ１」の圃場で収穫されたトマトの実際に測定された収穫量（ｋｇ）が５１［ｋｇ］であったため、分筆名称「椎浜Ａ１」の圃場で収穫されたトマトの収穫量（ｋｇ）を修正する場合を想定する。
【０１４８】
（１３−１）収穫量登録画面１１００において、ユーザの操作入力により、分筆名称「椎浜Ａ１」の圃場で収穫されたトマトの収穫量を重量の単位で示すボックス１１０１内の値が５１［ｋｇ］に変更されている。この場合、表示制御部１２０２は、ボックス１１０１内の値の変更に応じて、各圃場の収穫量（ｋｇ）を合計したボックス１１０４内の値を１９０．５［ｋｇ］に変更する。また、表示制御部１２０２は、ボックス１１０１内の値の変更に応じて、ボックス１１０５内の値を５１０００［ｇ］に変更する。
【０１４９】
つぎに、トマトの合計収穫量「１８６［ｋｇ］」に合わせて、分筆名称「ももちＡ２−Ａ」の圃場で収穫されたトマトの収穫量（ｋｇ）と、分筆名称「ももちＡ３−Ｆ」の圃場で収穫されたトマトの収穫量（ｋｇ）を調整する場合を想定する。
【０１５０】
（１３−２）収穫量登録画面１１００において、ユーザの操作入力により、分筆名称「ももちＡ２−Ａ」の圃場で収穫されたトマトの収穫量を重量の単位で示すボックス１１０２内の値が４５［ｋｇ］に変更されている。また、分筆名称「ももちＡ３−Ｆ」の圃場で収穫されたトマトの収穫量を重量の単位で示すボックス１１０３内の値が９０［ｋｇ］に変更されている。
【０１５１】
この場合、表示制御部１２０２は、ボックス１１０２，１１０３内の値の変更に応じて、各圃場の収穫量（ｋｇ）を合計したボックス１１０４内の値を１８６［ｋｇ］に変更する。また、表示制御部１２０２は、分筆名称「ももちＡ２−Ａ」の圃場で収穫されたトマトの収穫量をコンテナの単位で示す値「５」を、変更後の重量値「４５［ｋｇ］」を変換して得られるコンテナの単位で示す値に変更する。同様に、表示制御部１２０２は、分筆名称「ももちＡ３−Ｆ」の圃場で収穫されたトマトの収穫量をコンテナの単位で示す値「１０」を、変更後の重量値「９０［ｋｇ］」を変換して得られるコンテナの単位で示す値に変更する。
【０１５２】
ただし、図１３の例では、分筆名称「ももちＡ２−Ａ」の圃場および分筆名称「ももちＡ３−Ｆ」の圃場の両方とも、変更後の重量値を変換して得られるコンテナの単位で示す値は、変換前の値と同じである。このため、各ボックス１１０６，１１０７内の値は変更されていない。
【０１５３】
このように、収穫量登録画面１１００によれば、クライアント装置２０１のユーザは、２０１４年２月１２日にトマトの収穫作業が行われた圃場ごとのおおまかな収穫量（ｋｇ）を特定することができる。また、分筆名称「椎浜Ａ１」の圃場で収穫されたトマトの実際に測定された収穫量（ｋｇ）をもとに、各圃場の収穫量（ｋｇ）を修正することができる。
【０１５４】
図１４は、収穫量登録画面１１００の画面変化例を示す説明図（その２）である。ここでは、農作物の収穫量を収納単位で示す値が変更された場合の収穫量登録画面１１００の画面変化例について説明する。なお、図１４では、収穫量登録画面１１００の一部を抜粋して表示する。
【０１５５】
ここで、２０１４年２月１２日に、分筆名称「ももちＡ２−Ａ」の圃場で収穫作業を行った作業者が記憶しているコンテナ数（あるいは、作業者によって記録されたコンテナ数）が「４」であったため、分筆名称「ももちＡ２−Ａ」の圃場で収穫されたトマトの収穫量を修正する場合を想定する。
【０１５６】
また、２０１４年２月１２日に、分筆名称「ももちＡ３−Ｆ」の圃場で収穫作業を行った作業者が記憶しているコンテナ数（あるいは、作業者によって記録されたコンテナ数）が「１１」であったため、分筆名称「ももちＡ３−Ｆ」の圃場で収穫されたトマトの収穫量を修正する場合を想定する。
【０１５７】
すなわち、各圃場で収穫作業を行った作業者が覚えているコンテナ数を手掛かりにして、トマトの合計収穫量「１８６［ｋｇ］」を面積按分して得られた各圃場の収穫量を修正する場合について説明する。
【０１５８】
（１４−１）収穫量登録画面１１００において、ユーザの操作入力により、分筆名称「ももちＡ２−Ａ」の圃場で収穫されたトマトの収穫量をコンテナの単位で示すボックス１１０６内の値が「４」に変更されている。この場合、変換部１２０４は、変更後のコンテナの単位で示す値を、所定の換算比率で、重量の単位で示す値に変換する。
【０１５９】
具体的には、例えば、変換部１２０４は、収納単位マスタ２３０を参照して、農作物の品目、作型、収穫時期および収納単位に対応するｋｇ換算値を特定する。ここでは、ｋｇ換算値「９．０」が特定される。そして、変換部１２０４は、変更後のコンテナの単位で示す値「４」にｋｇ換算値「９．０」を乗ずることにより、重量の単位で示す値「３６」を算出する。
【０１６０】
また、収穫量登録画面１１００において、ユーザの操作入力により、分筆名称「ももちＡ３−Ｆ」の圃場で収穫されたトマトの収穫量をコンテナの単位で示すボックス１１０７内の値が「１１」に変更されている。この場合、変換部１２０４は、変更後のコンテナの単位で示す値「１１」にｋｇ換算値「９．０」を乗ずることにより、重量の単位で示す値「９９」を算出する。
【０１６１】
（１４−２）収穫量登録画面１１００において、ボックス１１０６，１１０７内の値の変更に合わせて、ボックス１１０２，１１０３内の値が変更されている。具体的には、表示制御部１２０２は、ボックス１１０６内の値の変更に応じて、ボックス１１０２内の値を、変更後のコンテナの単位で示す値「４」を変換して得られる重量値「３６」に変更する。また、表示制御部１２０２は、ボックス１１０７内の値の変更に応じて、ボックス１１０３内の値を、変更後のコンテナの単位で示す値「１１」を変換して得られる重量値「９９」に変更する。
【０１６２】
つぎに、トマトの合計収穫量「１８６［ｋｇ］」に合わせて、分筆名称「椎浜Ａ１」の圃場で収穫されたトマトの収穫量（ｋｇ）を調整する場合を想定する。
【０１６３】
（１４−３）収穫量登録画面１１００において、ユーザの操作入力により、分筆名称「椎浜Ａ１」の圃場で収穫されたトマトの収穫量を重量の単位で示すボックス１１０１内の値が５１［ｋｇ］に変更されている。この場合、表示制御部１２０２は、ボックス１１０１内の値の変更に応じて、各圃場の収穫量（ｋｇ）を合計したボックス１１０４内の値を１８６［ｋｇ］に変更する。また、表示制御部１２０２は、ボックス１１０１内の値の変更に応じて、ボックス１１０５内の値を５１０００［ｇ］に変更する。
【０１６４】
このように、収穫量登録画面１１００によれば、２０１４年２月１２日に各圃場で収穫作業を行った作業者が覚えているコンテナ数を手掛かりにして、合計収穫量を面積按分して得られた各圃場のおおまかな収穫量を、より実測に近い値に修正することができる。
【０１６５】
なお、ある圃場の収穫量を重量の単位で示す値が変更されるのは、その圃場で収穫された農作物の正確な重量が測定された場合などである。このため、ある圃場の収穫量を重量の単位で示す値が変更された後に、その圃場の収穫量を収納単位で示す値が変更された場合は、変換部１２０４は、変更後の収納単位で示す値に対応する重量値への変換を行わないことにしてもよい。これにより、ある圃場の収穫量を収納単位で示す値の変更に合わせて、その圃場で収穫された農作物の正確な重量が変更されることを防ぐことができる。
【０１６６】
（収穫量分配装置１００の収穫量分配処理手順）
図１５および図１６は、収穫量分配装置１００の収穫量分配処理手順の一例を示すフローチャートである。図１５のフローチャートにおいて、まず、収穫量分配装置１００は、ある農作物を収穫した圃場を選択するための圃場選択画面（例えば、圃場選択画面１０００）をディスプレイ４０６に表示する（ステップＳ１５０１）。
【０１６７】
つぎに、収穫量分配装置１００は、ある農作物についての品目、収穫日および合計収穫量の入力を受け付けたか否かを判断する（ステップＳ１５０２）。ここで、収穫量分配装置１００は、品目、収穫日および合計収穫量の入力を受け付けるのを待つ（ステップＳ１５０２：Ｎｏ）。
【０１６８】
そして、品目、収穫日および合計収穫量の入力を受け付けた場合（ステップＳ１５０２：Ｙｅｓ）、収穫量分配装置１００は、生産計画ＤＢ２２０から、入力された品目に対応する１又は複数の圃場の生産計画情報を取得する（ステップＳ１５０３）。
【０１６９】
つぎに、収穫量分配装置１００は、取得した１又は複数の圃場の生産計画情報を参照して、１又は複数の圃場の圃場情報を特定する（ステップＳ１５０４）。そして、収穫量分配装置１００は、特定した１又は複数の圃場の圃場情報を選択可能にディスプレイ４０６に表示する（ステップＳ１５０５）。
【０１７０】
つぎに、収穫量分配装置１００は、入力された収穫日に、ある農作物についての収穫作業が行われた１又は複数の圃場が選択されたか否かを判断する（ステップＳ１５０６）。ここで、収穫量分配装置１００は、１又は複数の圃場が選択されるのを待つ（ステップＳ１５０６：Ｎｏ）。
【０１７１】
そして、１又は複数の圃場が選択された場合（ステップＳ１５０６：Ｙｅｓ）、収穫量分配装置１００は、１又は複数の圃場の圃場情報を参照して、１又は複数の圃場の作付面積を特定する（ステップＳ１５０７）。そして、収穫量分配装置１００は、特定した１又は複数の圃場の作付面積に比例して、入力された合計収穫量を１又は複数の圃場に分配する（ステップＳ１５０８）。
【０１７２】
つぎに、収穫量分配装置１００は、換算比率特定処理を実行する（ステップＳ１５０９）。換算比率特定処理は、ある農作物についての収納単位と重量の単位との換算比率を特定する処理である。換算比率特定処理の具体的な処理内容については、図１７を用いて後述する。
【０１７３】
そして、収穫量分配装置１００は、１又は複数の圃場に分配された各収穫量、すなわち、分配された各重量値を、換算比率特定処理によりそれぞれ特定されたｋｇ換算値で示される換算比率で、収納単位で示す値に変換する（ステップＳ１５１０）。
【０１７４】
つぎに、収穫量分配装置１００は、分配された各重量値と、分配された各重量値を変換して得られた収穫量を収納単位で示す値とを対応付けて表示する収穫量登録画面（例えば、収穫量登録画面１１００）を表示して（ステップＳ１５１１）、図１６に示すステップＳ１６０１に移行する。
【０１７５】
図１６のフローチャートにおいて、まず、収穫量分配装置１００は、表示した圃場の重量値の変更を受け付けたか否かを判断する（ステップＳ１６０１）。ここで、重量値の変更を受け付けていない場合（ステップＳ１６０１：Ｎｏ）、収穫量分配装置１００は、ステップＳ１６０４に移行する。
【０１７６】
一方、重量値の変更を受け付けた場合（ステップＳ１６０１：Ｙｅｓ）、収穫量分配装置１００は、換算比率特定処理により特定されたｋｇ換算値で示される換算比率で、変更後の重量値を収納単位で示す値に変換する（ステップＳ１６０２）。そして、収穫量分配装置１００は、表示した圃場の収穫量を収納単位で示す値を、変更後の重量値を変換して得られた収納単位で示す値に変更する（ステップＳ１６０３）。
【０１７７】
つぎに、収穫量分配装置１００は、表示した圃場の収穫量を収納単位で示す値の変更を受け付けたか否かを判断する（ステップＳ１６０４）。ここで、収納単位で示す値の変更を受け付けていない場合（ステップＳ１６０４：Ｎｏ）、収穫量分配装置１００は、ステップＳ１６０７に移行する。
【０１７８】
一方、収納単位で示す値の変更を受け付けた場合（ステップＳ１６０４：Ｙｅｓ）、収穫量分配装置１００は、換算比率特定処理により特定されたｋｇ換算値で示される換算比率で、変更後の収納単位で示す値を重量値に変換する（ステップＳ１６０５）。そして、収穫量分配装置１００は、表示した圃場の重量値を、変更後の収納単位で示す値を変換して得られた重量値に変更する（ステップＳ１６０６）。
【０１７９】
つぎに、収穫量分配装置１００は、ある農作物についての収穫量の登録が終了したか否かを判断する（ステップＳ１６０７）。ここで、収穫量の登録が終了していない場合（ステップＳ１６０７：Ｎｏ）、収穫量分配装置１００は、ステップＳ１６０１に戻る。
【０１８０】
一方、収穫量の登録が終了した場合（ステップＳ１６０７：Ｙｅｓ）、収穫量分配装置１００は、収穫量テーブル２４０に１又は複数の圃場の収穫量情報を登録して（ステップＳ１６０８）、本フローチャートによる一連の処理を終了する。
【０１８１】
これにより、入力された農作物についての合計収穫量を、選択された１又は複数の圃場に分配することができる。また、１又は複数の圃場に分配された各収穫量を、それぞれ対応する圃場における収穫量を収納単位で示す値に変換することができる。
【０１８２】
＜換算比率特定処理の具体的処理手順＞
つぎに、図１５に示したステップＳ１５０９の換算比率特定処理の具体的な処理手順について説明する。
【０１８３】
図１７は、換算比率特定処理の具体的処理手順の一例を示すフローチャートである。図１７のフローチャートにおいて、まず、収穫量分配装置１００は、生産計画ＤＢ２２０から、選択された１又は複数の圃場の生産計画情報を取得する（ステップＳ１７０１）。
【０１８４】
そして、収穫量分配装置１００は、取得した生産計画情報を参照して、各圃場の品目、作型および収納単位を特定する（ステップＳ１７０２）。つぎに、収穫量分配装置１００は、取得した生産計画情報を参照して、各圃場の収穫予定時期を特定する（ステップＳ１７０３）。
【０１８５】
そして、収穫量分配装置１００は、収納単位マスタ２３０から、特定した各圃場の品目、作型および収納単位に対応する収納単位情報をそれぞれ抽出する（ステップＳ１７０４）。つぎに、収穫量分配装置１００は、抽出した収納単位情報のうち、適用期間に各圃場の収穫予定時期が含まれる収納単位情報をそれぞれ特定する（ステップＳ１７０５）。
【０１８６】
そして、収穫量分配装置１００は、特定した収納単位情報を参照して、各圃場についての換算比率を示すｋｇ換算値をそれぞれ特定して（ステップＳ１７０６）、換算比率特定処理を呼び出したステップに戻る。これにより、各圃場の品目、作型、収穫時期および収納単位に対応するｋｇ換算値をそれぞれ特定することができる。
【０１８７】
以上説明したように、実施の形態にかかる収穫量分配装置１００によれば、ある農作物についての品目、収穫日および合計収穫量の入力を受け付け、生産計画ＤＢ２２０を参照して、ある農作物に対応する１又は複数の圃場の圃場情報を選択可能にディスプレイ４０６に提示することができる。
【０１８８】
これにより、クライアント装置２０１のユーザは、ある農作物の品目と同一の品目の農作物が作付けされた１又は複数の圃場を特定して、入力した収穫日に、ある農作物の収穫作業が行われた１又は複数の圃場を選択することができる。
【０１８９】
また、収穫量分配装置１００によれば、入力された合計収穫量を、選択された１又は複数の圃場に分配することができる。具体的には、例えば、収穫量分配装置１００は、選択された１又は複数の圃場の作付面積に比例して、１又は複数の圃場に対する合計収穫量の分配量を制御することができる。そして、収穫量分配装置１００によれば、分配した各収穫量を対応する圃場における収穫量としてディスプレイ４０６に表示することができる。
【０１９０】
これにより、農作物の収穫作業が行われた１又は複数の圃場の作付面積に応じて、１又は複数の圃場で収穫された農作物の合計収穫量を面積按分することができる。このため、ユーザは、ある農作物を作付けした圃場ごとのおおまかな収穫量を特定することができ、圃場ごとの栽培効率や栽培費用等の分析に役立てることができる。
【０１９１】
また、収穫量分配装置１００によれば、１又は複数の圃場に分配された各収穫量、すなわち、分配された各重量値を、それぞれ対応する圃場における収穫量を収納単位で示す値に変換して、分配された各重量値と対応付けて表示することができる。
【０１９２】
これにより、ユーザは、各圃場に分配された収穫量（ｋｇ）を変換して得られる、農作物の収穫量を箱やコンテナなどの収納単位で示す値をもとに、各圃場で収穫作業を行った作業者の作業実績を評価することができる。
【０１９３】
また、収穫量分配装置１００によれば、農作物の作型、もしくは農作物の収穫日、もしくは農作物の収穫予定時期のいずれかに応じた換算比率で、分配された重量値を収納単位で示す値に換算することができる。
【０１９４】
これにより、農作物の品目、作型、収穫時期の違いにより変化する密度、例えば、季節ごとの農作物の比重を考慮して、農作物についての収穫量を重量の単位で示す値を、収納単位で示す値に変換することができる。
【０１９５】
また、収穫量分配装置１００によれば、農作物の収穫量を収納単位で示す値の入力または変更を受け付ける欄とともに表示する収納単位の種別として、生産計画で指定された収納単位の種別と同一の単位の種別を出力することができる。
【０１９６】
これにより、圃場の収穫量を収納単位で示す値の入力または変更を受け付ける欄（例えば、図１１に示したボックス１１０６，１１０７）とともに表示する収納単位の種別として、生産計画で指定された収納単位の種別と同一の単位の種別を適用することができる。すなわち、農作物の品目や圃場の状況によって、どのような単位で収穫量を数えるかが変わる場合であっても、生産計画時に入力された収納単位と同一の単位を、収穫量の入力や変更を行う画面（例えば、収穫量登録画面１１００）に利用することで、ユーザによる収穫量の入力や変更をしやすくすることができる。
【０１９７】
なお、本実施の形態で説明した収穫量分配方法、収穫量入力方法は、予め用意されたプログラムをパーソナル・コンピュータやワークステーション等のコンピュータで実行することにより実現することができる。本収穫量分配プログラム、収穫量入力プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本収穫量分配プログラム、収穫量入力プログラムは、インターネット等のネットワークを介して配布してもよい。
【符号の説明】
【０１９８】
１００  収穫量分配装置
１１０  記憶部
１２０，４０６  ディスプレイ
２００  システム
２０１，２０１−１〜２０１−ｎ  クライアント装置
２２０  生産計画ＤＢ
２３０  収納単位マスタ
２４０  収穫量テーブル
８００  収納単位マスタメンテナンス画面
９００  生産計画登録画面
１０００  圃場選択画面
１１００  収穫量登録画面
１２０１  受付部
１２０２  表示制御部
１２０３  分配部
１２０４  変換部
【図１】
2015136668.tif 000003
【図２】
2015136668.tif 000004
【図３】
2015136668.tif 000005
【図４】
2015136668.tif 000006
【図５】
2015136668.tif 000007
【図６】
2015136668.tif 000008
【図７】
2015136668.tif 000009
【図８】
2015136668.tif 000010
【図９】
2015136668.tif 000011
【図１０】
2015136668.tif 000012
【図１１】
2015136668.tif 000013
【図１２】
2015136668.tif 000014
【図１３】
2015136668.tif 000015
【図１４】
2015136668.tif 000016
【図１５】
2015136668.tif 000017
【図１６】
2015136668.tif 000018
【図１７】
2015136668.tif 000019
【国際調査報告】
2015136668.tif 000020
2015136668.tif 000021
2015136668.tif 000022
2015136668.tif 000023